(57)【要約】ドラフトされた繊維ストランド（４）を凝縮するための装置が紡糸機のドラフト装置（１）の前方ローラー対（７）の下流に配置される。凝縮帯域（１１）は吸引ローラー（１５）を含み、この吸引ローラーは繊維ストランドをニップする二つのニップライン（１２），（１３）を形成しながら、二つの駆動ローラー（８），（１９）上に配置される。ニップライン間の吸引ローラーの内側に吸引スリット（１８）が設けられ、この吸引スリットが凝縮帯域の長さを規定する。繊維ストランドの輸送方向の第一ニップライン（１２）はドラフト装置の前方ローラー対（８，９）の駆動底ローラー（８）により形成される。かくして凝縮される繊維ストランドはドラフト帯域の終わりから凝縮帯域の終わりまで連続的に信頼性ある方法で案内される。【選択図】図１
2004513251.tif 000002
【特許請求の範囲】
【請求項１】
繊維ストランド（４）を凝縮するための紡糸機の装置であって、それがドラフト装置（１）の前方ローラー対（７）の下流に配置された凝縮帯域（１１）を含み、前記凝縮帯域が繊維ストランドをニップする二つのニップライン（１２，１３）を形成しながら、二つの駆動ローラー（１８，１９）上に配置されている吸引ローラー（１５）を含み、前記吸引ローラー（１５）が二つのニップラインの間のその内部に吸引スリット（１８）を含み、前記吸引スリットが凝縮帯域の長さを規定するものにおいて、繊維ストランド（４）の輸送方向（Ａ）の第一ニップライン（１２）が前方ローラー対（７）の底ローラー（８）により形成されていることを特徴とする装置。
【請求項２】
凝縮帯域（１１）が吸引ローラー（１５）の周囲の９０°以上の角度に渡って延びることを特徴とする請求項１に記載の装置。
【請求項３】
繊維ストランド（４）が前方ローラー対（７）の駆動底ローラー（８）の周囲を少なくとも４５°の角度に渡ってループ状に囲むことを特徴とする請求項１または２に記載の装置。
【発明の詳細な説明】
【０００１】
発明の背景と概要
本発明は繊維ストランドを凝縮するための紡糸機の装置に関し、それはドラフト装置の前方ローラー対の下流に配置された凝縮帯域を含み、前記凝縮帯域は繊維ストランドをニップする二つのニップラインを形成しながら、二つの駆動ローラー上に配置されている吸引ローラーを含み、前記吸引ローラーは二つのニップライン間のその内部に吸引スリットを含み、前記吸引スリットは凝縮帯域の長さを規定している。
【０００２】
ドラフトされた繊維ストランドがドラフト装置の前方ローラー対の直ぐ下流で紡糸撚りを与えられるとき、いわゆる紡糸三角が前方ローラー対のニップラインに生ずる。これはドラフトされた繊維ストランドがある幅を持つドラフト装置を離れ、比較的小さな直径を持つ糸に撚られるために生ずる。紡糸三角は撚られた糸中に適切に結合されず従って紡糸された糸の引張り強度に殆どまたは全く寄与しない側繊維を含む。近年、凝縮帯域がドラフト装置のドラフト帯域の下流に配置されており、この凝縮帯域は逆にその出口端のニップラインにより境界付けられている。その下流でのみ糸はその紡糸撚りを与えられる。繊維は凝縮帯域で束ねられまたは凝縮され、それにより繊維ストランドはそれが最も下流のニップラインを離れるとき非常に狭くなっているので懸念される紡糸三角は発生しない。紡糸された糸はそのときより均一で、引き裂き抵抗性がありかつけば立ちが少ない。
【０００３】
上記タイプのかかる凝縮帯域を含む装置がドイツ公開特許出願１９８１５０５２Ａ１、図２で従来技術である。この既知の装置において、ドラフトされた繊維ストランドはそれが凝縮帯域の吸引ローラーの表面に到達する前に如何なる支持体もなしにある距離を移動しなければならない。しかし希望の繊度にドラフトされ何らの紡糸撚りもない繊維ストランドは極めてもろく、従って欠点のあるドラフトの危険または繊維ストランドの裂けさえありうる。
【０００４】
本発明の目的は欠点のあるドラフトの危険及び繊維ストランドの破損が避けられるように上記タイプの装置を改良することにある。
【０００５】
この目的は繊維ストランドの輸送方向の第一ニップラインがドラフト装置の前方ローラーの駆動底ローラーにより形成されるという本発明により達成された。
【０００６】
この実施例のために、ドラフトされているがまだ撚りなしの繊維ストランドがドラフト帯域の終わりから凝縮帯域の終わりまでローラーの周囲に連続的に配置される。最初は、すなわち第一ニップラインまでは、これは前方底ローラーの周囲の一部であり、第一ニップラインで吸引ローラーは底ローラー上に配置される。続いて、凝縮帯域内では、すなわち第二ニップラインまでは、繊維ストランドは吸引ローラーの周囲をループ状に囲み、第二ニップラインの下流で今や凝縮された繊維ストランドはその紡糸撚りを与えられる。かくして、繊維ストランドはその全移動経路を、それに沿っては繊維ストランドはもろいが、非常に安全で信頼性ある方法で案内される。
【０００７】
図面の簡略説明
本発明のこれらの及び更なる目的、特徴及び利点は添付図面に関してなされる以下のその詳細な説明からより容易に明らかとなるであろう。図面において、
図１は本発明による装置の部分断面側面図であり、
図２は図１の矢印ＩＩの方向の図である。
【０００８】
図面の詳細な説明
図１と２に示された装置３は紡糸機、特にリング紡糸機の紡糸ステーションの要素部品である。装置３はスライバまたはロービング２がドラフトされるドラフト装置１の下流に配置されており、ドラフトされているがまだ撚りなしの繊維ストランド４をその繊維の横方向集合により凝縮する役目をする。
【０００９】
ドラフト装置１は既知の方法で入口ローラー対５、エプロンローラー対６及び前方ローラー対７を含む。後者は駆動底ローラー８並びにそれに対して押圧された加圧ローラー９を含む。ドラフト装置１内で、スライバまたはロービング２が輸送方向Ａに希望の繊度にドラフトされる。ドラフト装置１のドラフト帯域は前方ローラー対７の前方ニップライン１０で終わる。
【００１０】
ドラフト装置１の下流に配置された凝縮帯域１１において、ドラフトされているがまだ撚りなしの繊維ストランド４が実際の紡糸撚りが続いて与えられる前に凝縮される。凝縮帯域１１はその入口側を第一ニップライン１２により、その出口側を第二ニップライン１３により境界付けられる。第二ニップライン１３は続いて起こる紡糸される糸１４への紡糸撚りの適用のための撚り止めとしての役目をし、従って紡糸撚りは凝縮帯域１１に遡及しない。糸１４が送出方向Ｂに撚り装置（図示せず）、例えばリングスピンドルに送出されるとき、第二ニップライン１３に有害な紡糸三角は発生しない。
【００１１】
繊維ストランド４を凝縮するための装置３は吸引ローラー１５を含み、その周囲は孔あきであり従って吸引ローラー１５の外部被覆は既知方法である有効幅に渡って空気透過性である。吸引ローラー１５は図示されない方法で静止吸引管１６上に支持され、この吸引管１６上に逆に吸引挿入体１７が調整可能に配置されている。吸引挿入体１７は吸引スリット１８を含み、この吸引スリット１８は本質的に輸送方向Ａに延び凝縮帯域１１の長さを規定する。図２に見えるように、吸引スリット１８は吸引ローラー１５の移動方向に関してわずかに斜めに配置され、凝縮される繊維ストランド４を吸引スリット１８の縁に沿って移動させ、凝縮中に軽い偽撚りを受ける。
【００１２】
吸引ローラー１５は前方ローラー対７の駆動底ローラー８上に並びに更なる駆動底ローラー１９上に配置され、二つの上述のニップライン１２と１３の形成を起こす。底ローラー８と１９はそれらのギヤにより連結されているので、それら両者は同じ速度で回転する。底ローラー８と１９はそれぞれ柔軟な被覆２０と２１を備えており、それは吸引ローラー１５の金属表面に関して実際的である。
【００１３】
図１で見えるように、繊維ストランド４は前方ローラー対７の底ローラー８をほとんど９０°までループ状に囲む。ループは少なくとも４５°の大きさであるべきである。続いて、凝縮された繊維ストランド４は吸引ローラー１５を少なくとも９０°でループ状に囲む。繊維ストランド４は凝縮帯域１１の二つのニップライン１２と１３間のみならず、前方ニップライン１０の下流の支持表面上にもまた連続的に配置される。かくして、ドラフトされるのに続いて、繊維ストランド４はそれがその紡糸撚りを受けるまで非常に安全かつ信頼性ある方法で案内される。
【図面の簡単な説明】
【図１】
図１は本発明による装置の部分断面側面図である。
【図２】
図２は図１の矢印ＩＩの方向の図である。
【図１】
2004513251.tif 000003
【図２】
2004513251.tif 000004
【国際公開パンフレット】
2004513251.tif 000005
2004513251.tif 000006
2004513251.tif 000007
2004513251.tif 000008
2004513251.tif 000009
2004513251.tif 000010
2004513251.tif 000011
2004513251.tif 000012
2004513251.tif 000013
【国際調査報告】
2004513251.tif 000014
2004513251.tif 000015
2004513251.tif 000016
2004513251.tif 000017